(57)【要約】【課題】使用時、台紙板を開いたとき、薬剤含有体がドーム型のハニカム状に形成されると共に、その外側にガード体がドーム型のハニカム状に形成されるので、薬剤を含有した薬剤含有体全体をガード体によって覆うことで、薬剤含有体が表面に露出するのをなくし、人、特に幼児が薬剤に直接手を触れるのを防止して、薬剤を触れる危険性を低減し、安全性を高める。【解決手段】二つ折り可能な台紙板１と、この台紙板１の内側に収納されて折り畳み自在となり、開いたときドーム型のハニカム状に形成される薬剤を含有した薬剤含有体５と、前記台紙板１の内側に収納されて折り畳み自在となり、開いたとき前記薬剤含有体５の外側にドーム型のハニカム状に形成されるガード体６と、から構成した簡易式薬剤揮散器である。【選択図】      図１
2004283104.tif 000002
【特許請求の範囲】
【請求項１】
二つ折り可能な台紙板１と、
この台紙板１の内側に収納されて折り畳み自在となり、開いたときドーム型のハニカム状に形成される薬剤を含有した薬剤含有体５と、
前記台紙板１の内側に収納されて折り畳み自在となり、開いたとき前記薬剤含有体５の外側にドーム型のハニカム状に形成されるガード体６と、
から構成したことを特徴とする簡易式薬剤揮散器。
【請求項２】
前記台紙板１に当該台紙板１を二つ折りしたとき嵌合する一対のスナップ８を備え、このスナップ８の内部に薬剤含有体５に含有した薬剤の有効期間を表示するインジケーター１３を設けたことを特徴とする請求項１記載の簡易式薬剤揮散器。
【発明の詳細な説明】
【０００１】
【発明の属する技術分野】
本発明は、居間や玄関等の屋内あるいは屋外、さらには車内等において使用する簡易式薬剤揮散器に関する。
【０００２】
【従来の技術】
従来、簡易式薬剤揮散器としては、折りたたみ可能な紙製の穴を多数有した筒状体に揮散性の薬剤を保持させて、これを扇状に広げた状態のまま、保持させた薬剤を自然に揮散させるものが知られていた（例えば、特許文献１参照）。
【０００３】
【特許文献１】
特開平９−３０８４２１号公報（図１）
【０００４】
【発明が解決しようとする課題】
かかる従来の簡易式薬剤揮散器にあっては、薬剤を保持する筒状体が露出した状態となっていたため、人が薬剤に触れてしまう、特に幼児が薬剤に触れた手をなめたりすると、非常に危険であるといった問題があった。
【０００５】
また、紙製の筒状体に薬剤を保持しているため、使用者が保持された薬剤の有無を判断することがなかなかできず、すなわち薬剤の有効期間を認識することができず、薬剤の有効性が全く無くなっても使用を続けてしまうといった問題も生じるおそれがあった。
【０００６】
本発明は、前述した各問題をそれぞれ解消し、優れた簡易式薬剤揮散器を提供することを、その課題とする。
【０００７】
【課題を解決するための手段】
第一の発明は、二つ折り可能な台紙板と、この台紙板の内側に収納されて折り畳み自在となり、開いたときドーム型のハニカム状に形成される薬剤を含有した薬剤含有体と、前記台紙板の内側に収納されて折り畳み自在となり、開いたとき前記薬剤含有体の外側にドーム型のハニカム状に形成されるガード体と、から構成した簡易式薬剤揮散器である。
【０００８】
第二の発明は、第一の発明において、前記台紙板に当該台紙板を二つ折りしたとき嵌合する一対のスナップを備え、このスナップの内部に薬剤含有体に含有した薬剤の有効期間を表示するインジケーターを設けた簡易式薬剤揮散器である。
【０００９】
【作    用】
第一の発明によれば、使用時、台紙板を開いたとき、薬剤含有体がドーム型のハニカム状に形成されると共に、その外側にガード体がドーム型のハニカム状に形成されるので、薬剤を含有した薬剤含有体全体をガード体によって覆うことで、薬剤含有体が表面に露出するのをなくし、人、特に幼児が薬剤に直接手を触れるのを防止して、薬剤を触れる危険性を低減し、安全性を高めることができる。
【００１０】
第二の発明によれば、台紙板を二つ折りしたとき嵌合する一対のスナップの内部にインジケーターを設けたことで、薬剤含有体に含有する薬剤の量、すなわち薬剤の有効期間をインジケーターによって認識することができ、当該簡易式薬剤揮散器の交換時期を常に的確に把握することができる。
【００１１】
【発明の実施の形態】
本発明による簡易式薬剤揮散器の一実施形態について説明する。
図１、図２、図３に示すように、二つ折り可能な台紙板１を備え、この台紙板１は長方形状で同形の紙製の第一台紙板２と第二台紙板３とからなり、
この第一台紙板２と第二台紙板３とを折り曲がり自在な紙製の連結片４で二箇所連結したもので、これにより、台紙板１を二つ折り可能にしている。
【００１２】
そして、この台紙板１の内側に収納されて折り畳み自在となる薬剤含有体５を備え、この薬剤含有体５には薬剤を含有する。この薬剤含有体５は薄い紙製でできており、前記台紙板１を開いたときにドーム型のハニカム状に形成される。
【００１３】
なお、この薬剤含有体５に含有する薬剤としては、例えば、ユスリカ、チョウバエ、ブヨ等、様々な害虫を効果的に駆除するピレスロイド系殺虫剤の薬剤が良く、そのピレスロイド系殺虫剤の薬剤の中でもメトフルトリンが良い。この薬剤は火も電気も使わずに自然に揮散する常温揮散性に優れており、人体に対する安全性も高い。
【００１４】
また、薬剤含有体５に含有する薬剤には、例えば、ハーブの一種であるラベンダー等の香りがする香料を混ぜて、やすらぎを生むような製品にしても良い。
【００１５】
さらに、前記台紙板１の内側に収納されて折り畳み自在となるガード体６を備え、このガード体６も薄い紙製でできており、前記台紙板１を開いたときに前記薬剤含有体５の外側にドーム型のハニカム状に形成される、すなわちドーム型に形成された薬剤含有体５全体をガード体６が覆うようにしている。
【００１６】
一方、第一台紙板２と第二台紙板３とからなる台紙板１にあっては、連結側の反対の縁部中央にフック等に引っ掛けるための穴７を形成すると共に、図４に示すように、第一台紙板２と第二台紙板３とを二つ折りに閉じたとき、第一台紙板２と第二台紙板３とが嵌合する一対のスナップ８を備える。このスナップ８は第一台紙板２に備える円形状の突出容器９と、この突出容器９の外周に嵌合し第二台紙板３に備える円筒状の筒キャップ１０とから構成し、突出容器９と筒キャップ１０とは共にプラスチック製である。
【００１７】
さらに、この突出容器９には、内蓋１１を有し、この内蓋１１には多数の穴１２を形成する。そして、この突出容器９の内部、すなわちスナップ８の内部にインジケーター１３を設ける。このインジケーター１３は円形の錠剤型で、穴１２から揮散していくことで徐々に小さくなり、最後は消滅するものであり、薬剤含有体５に含有した薬剤の有効成分が無くなったら、インジケーター１３も無くなるように設定している。
【００１８】
これは、前記台紙板１を開いたときはスナップ８における突出容器９と筒キャップ１０とが離れて、突出容器９の密閉状態が開放され内蓋１１の穴１２からインジケーター１３が揮散していくことで徐々に小さく減っていくようになるが、前記台紙板１を二つ折りに閉じたときはスナップ８における突出容器９と筒キャップ１０とが嵌合して、突出容器９を密閉することで、揮散が中止しインジケーター１３が減らないようになっている。これにより、薬剤含有体５とインジケーター１３とにおいて密閉及び開放する時間を同じにして、薬剤含有体５に含有する薬剤の消費とインジケーター１３の消費とを合致させる、すなわち薬剤含有体５に含有した薬剤の有効成分が無くなったら、円形の錠剤型のインジケーター１３も無くなるようにしている。
【００１９】
このようにスナップ８の突出容器９の内部に設けたインジケーター１３により、薬剤含有体５に含有した薬剤の有効期間を表示するようにして、使用者に薬剤の有無を認識させるようにしている。
【００２０】
次に、このようになる簡易式薬剤揮散器の使用例について説明すると、まず、使用前の状態では、台紙板１が二つ折りに閉じられている。そして、実際に使用する場合は、スナップ８における突出容器９と筒キャップ１０とを外して、二つ折りに閉じられた台紙板１を１８０度開く（図１や図２参照）。これにより、薬剤含有体５とガード体６とがドーム型のハニカム状に形成され、薬剤含有体５より含有した薬剤が自然に揮散する。そして、使用を中断する場合は、台紙板１を二つ折りに閉じて、スナップ８における突出容器９と筒キャップ１０とを嵌合する（図３参照）。これにより、薬剤含有体５も二つ折り閉じた台紙板１の内側に収納されて、含有した薬剤の揮散が停止する。
【００２１】
なお、当該簡易式薬剤揮散器の使用にあっては、居間のテーブルや棚の上、玄関の棚の上、あるいは車の中等に載置する形で使用したり、また、居間や廊下、玄関の壁等に台紙板１に形成した穴７をフックを介して吊るす形で使用したりすることもできる。
【００２２】
このように簡易式薬剤揮散器を構成することで、使用時、台紙板１を開いたとき、薬剤を含有した薬剤含有体５全体をガード体６によって覆うようになり、薬剤含有体５が表面に露出するのをなくしている。これにより、人、特に幼児が薬剤に直接手を触れるのを防止して、薬剤を触れる危険性を低減し、安全性を高めることができる。
【００２３】
また、第一台紙板２と第二台紙板３とからなる台紙板１を二つ折りしたとき嵌合する一対のスナップ８の内部にインジケーター１３を設けたことで、薬剤含有体５に含有する薬剤の量、すなわち薬剤の有効期間をインジケーター１３によって認識することができ、当該簡易式薬剤揮散器の交換時期を常に的確に把握することができる。
【００２４】
しかも、このインジケーター１３にあっては、台紙板１を二つ折りに嵌合するスナップ８の内部に設けているため、台紙板１の開閉、すなわち当該簡易式薬剤揮散器の使用に連動するようになっており、これにより、薬剤含有体５に含有する薬剤の消費とインジケーター１３の消費とを極めて高い精度で合致させることができ、使用者に薬剤含有体５に含有する薬剤の有効期間を極めて正確に認識させることができる。
【００２５】
以上、本発明による簡易式薬剤揮散器の一実施形態について説明したが、簡易式薬剤揮散器としては、この一実施形態に限定させるものではなく、同等の機能、効果を有するものならば、他の構造のものでも良い。
【００２６】
また、薬剤含有体５に含有する薬剤として、害虫を効果的に駆除する薬剤であったが、この害虫を駆除する薬剤のみに限定されるものではなく、消臭剤、芳香剤、防菌防黴剤等の目的に供する揮発性の薬剤等でも良く、また、これらの混合物でも良い。
【００２７】
また、薬剤の有効期間を表示するインジケーター１３にあっては、穴１２から揮散していくことで徐々に小さくなり最後に消滅するタイプとしていたが、これに限定されるものではなく、文字や記号が現れるタイプ、あるいは色が変色するタイプ等でも良い。
【００２８】
【発明の効果】
本発明は、使用時、台紙板を開いたとき、薬剤含有体がドーム型のハニカム状に形成されると共に、その外側にガード体がドーム型のハニカム状に形成されるので、薬剤を含有した薬剤含有体全体をガード体によって覆うことで、薬剤含有体が表面に露出するのをなくし、人、特に幼児が薬剤に直接手を触れるのを防止して、薬剤を触れる危険性を低減し、安全性を高めることができる。
【００２９】
また、本発明は、台紙板を二つ折りしたとき嵌合する一対のスナップの内部にインジケーターを設けたことで、薬剤含有体に含有する薬剤の量、すなわち薬剤の有効期間をインジケーターによって認識することができ、当該簡易式薬剤揮散器の交換時期を常に的確に把握することができる。
【図面の簡単な説明】
【図１】本発明による簡易式薬剤揮散器の一部断面斜視図である。
【図２】図１におけるＡ−Ａ断面図である。
【図３】本発明による簡易式薬剤揮散器の折り畳んだ状態の側面図である。
【図４】本発明による簡易式薬剤揮散器におけるスナップの詳細図である。
【符号の説明】
１…台紙板、２…第一台紙板、３…第二台紙板、４…連結片、５…薬剤含有体、６…ガード体、７…穴、８…スナップ、９…突出容器、１０…筒キャップ、１１…内蓋、１２…穴、１３…インジケーター。
【図１】
2004283104.tif 000003
【図２】
2004283104.tif 000004
【図３】
2004283104.tif 000005
【図４】
2004283104.tif 000006